(57)【特許請求の範囲】
【請求項１】
竪樋の内径より若干小さい外径を有し、上端から下方にスリット状に切欠された上部切欠溝と下端から上方にスリット状に切欠された下部切欠溝とが交互に設けられリングと、ほぼ竪樋の内径よりリングの厚みだけ小さい外径の接続部を両側に有する短筒状の継手本体とからなる竪樋継手。
【発明の詳細な説明】
【０００１】
【発明の属する技術分野】
本発明は竪樋継手に関する。
【０００２】
【従来の技術】
従来、竪樋継手としては、実開昭６０−１５４５２８号公報に記載あるように、上端部に竪樋の外径とほぼ等しい内径を有する受け口からなる接続部と、下端部に竪樋の内径とほぼ等しい外径を有する挿し口からなる接続部とが設けられた短筒状をしている。
そして、この竪樋継手は、上方の竪樋下端部の外周面に接着剤を塗布し、この下端部を竪樋継手の受け口の中に挿入して接続し、竪樋継手の挿し口外周面に接着剤を塗布し、この挿し口を下方の竪樋の上端部に挿入して接続して、上下の竪樋を接続するのである。
【０００３】
【発明が解決しようとする課題】
しかし、従来の竪樋継手で竪樋を接続すると、受け口が竪樋より大きいために竪樋よりこの部分が突出して外観が悪い。
又、竪樋の下端部を竪樋継手の受け口に挿入する際に、竪樋の下端部に塗布されている接着剤が受け口の周縁で剥ぎ取られる結果、この竪樋と受け口との接着が不充分になり、この間から雨水が漏れることがある。同様に、竪樋継手の挿し口を竪樋の中に挿入する際に、挿し口に塗布されている接着剤が竪樋の上縁で剥ぎ取られて接着不良を起こすことが覆い。
【０００４】
特に、最近では、竪樋が垂直に取り付けられるだけでなく、斜めに取り付けられることが多くなっているが、このように、竪樋が斜めに取り付けられると、接続部の接着不良部分から雨水が漏れるという事故が発生する。
そこで、本発明の目的は接続部分が突出せず、しかも、雨水が漏れないように接続できる施工性のよい竪樋継手を提供するものである。
【０００５】
【課題を解決するための手段】
本発明は上記目的を達成するためになされたものであって、竪樋の内径より若干小さい外径を有し、上端から下方にスリット状に切欠された上部切欠溝と下端から上方にスリット状に切欠された下部切欠溝とが交互に設けられリングと、ほぼ竪樋の内径よりリングの厚みだけ小さい外径の接続部を両側に有する短筒状の継手本体とからなるものである。
【０００６】
（作用）
使用方法の一例を説明しながら本発明竪樋継手の作用を説明する。
最初に、リングの外周面に接着剤を塗布して上方の竪樋の下端部の中に挿入する。又、同様に、別のリングの外周面に接着剤を塗布して下方の竪樋の上端部の中に挿入する。
すると、本発明に使用するリングは竪樋の内径より若干小さい外径を有するから、竪樋の内周面とリングの外周面との間に隙間があり、この隙間の中に接着剤が留まった状態に挿入される。このように、リングの外周面に塗布された接着剤は竪樋の縁で剥ぎ取られて接着剤がなくなることがない。
【０００７】
次に、上方のリングの中に継手本体の上側の接続部を、又、下方のリングの中に継手本体の下側の接続部をそれぞれ挿入する。
すると、本発明の継手本体はほぼ竪樋の内径よりリングの厚みだけ小さい外径の接続部を両側に有するし、リングの外径は竪樋の内径より若干小さいから、継手本体の接続部の外径はこのリングの内径より若干大きい。しかも、リングには上端からスリット状に切欠された上部切欠溝と下端からスリット状に切欠された下部切欠溝とが交互に設けられているから、リングの径を拡大し易い構造になっている。従って、リングの中に継手本体の接続部を挿入すると、この継手本体の接続部が上部切欠溝または下部切欠溝を拡げて、リングの外径を大きくしながら入ってゆく。その結果、リングの外周面が竪樋の内周面に密着する。
【０００８】
そして、リングの外周面に塗布された接着剤はリングの外周面と竪樋の内周面との間の僅かな隙間に残ったり、上部切欠溝または下部切欠溝の中に残るので、この接着剤によってリングの外周面と竪樋の内周面が強固に接着される。更に、上部切欠溝または下部切欠溝を通ってリングの内周面と継手本体の外周面との間に滲み出た接着剤によってリングの内周面と継手本体の外周面が強固に接着される。
このようにして竪樋を接続すると、竪樋継手のリングや接続部はすべて竪樋の内部にあるので、竪樋から突出することがない。従って、この接続部分が美麗である。
【０００９】
【発明の実施の形態】
次に、本発明の実施例を説明する。
図１〜図３は本発明の一実施例を示すもので、図１は竪樋継手を示すもので、（イ）はリングの平面図、（ロ）はリングの正面図、（ハ）はリングの断面図、（ニ）は継手本体の平面図、（ホ）は継手本体の一部切欠正面図、図２は竪樋にリングを挿入した状態を示す断面図、図３（イ）は竪樋継手で竪樋を接続した状態の正面図、（ロ）は断面図である。
【００１０】
図１〜図３において、１はポリ塩化ビニル樹脂製の竪樋であり、１１は上方の竪樋、１２は下方の竪樋である。この竪樋１は四角の角部が内方に湾曲されている筒状体である。
２は竪樋継手であり、この竪樋継手はリング３と継手本体４とからなる。
リング３は竪樋１の内径より若干小さい外径を有し、竪樋１と同様に、四角の角部が内方に湾曲されている短筒体であり、一端部に若干外径の大きい鍔３５が設けられている（図１の（イ）、（ロ）、（ハ）参照）。
【００１１】
そして、短筒体の上端から下方にスリット状に切欠された４本の上部切欠溝３１と下端から上方にスリット状に切欠された４本の下部切欠溝３２とが交互に設けられている。
従って、リング３の径を拡げる方向に力を加えると、上部切欠溝３１と下部切欠溝３２とが拡がってリング３の径が拡がるようになっている。
継手本体４は竪樋と同様に、四角の角部が内方に湾曲された短筒状であり、ほぼ中央に仕切り壁４１が設けられ、この仕切り壁４１の両側に接続部４２、４２が設けられている。切り壁４１は竪樋１とほぼ等しい外径を有し、接続部４２はほぼ竪樋１の内径よりリングの厚みだけ小さい外径を有する。
従って、中央の仕切り壁４１がリング３の厚みだけ外方に突出している。又、この接続部４２の先端４３は、竪樋１の中に挿入し易いように、テーパー状に細くなっている（図１（ニ）、（ホ）参照）。
【００１２】
次に、この竪樋継手で竪樋を接続する施工方法および作用について説明する。最初に、リング３の外周面に接着剤を塗布して上方の竪樋１１の下端部の中に挿入する。又、同様に、別のリング３の外周面に接着剤を塗布して下方の竪樋１２の上端部の中に挿入する。
すると、リング３は竪樋１の内径より若干小さい外径を有するし、一端部に若干外形の大きい鍔３５があるから、リング３は鍔３５まで簡単に挿入できる。しかも、リング３は竪樋１の内径より若干小さい外径を有するから、竪樋１の内周面とリング３の外周面との間に隙間があり、この隙間の中に接着剤が留まった状態に挿入される。従って、リング３の外周面に塗布された接着剤は竪樋の縁で剥ぎ取られて接着剤がなくなることがない。
【００１３】
次に、上方のリング３の中に継手本体４の上側の接続部４２を、又、下方のリング３の中に継手本体４の下側の接続部４２をそれぞれ仕切り壁４１まで挿入する。この際、継手本体４の先端４３はテーパー状に細くなっているから簡単に挿入できる。そして、仕切り壁４１は竪樋の外径とほぼ等しい外径を有するから、この竪樋１はこの仕切り壁４１まで挿入され、ここで止まる。
このように挿入すると、継手本体４はほぼ竪樋１の内径よりリング３の厚みだけ小さい外径の接続部４２を両側に有するし、リング３の外径は竪樋の内径より若干小さいから、継手本体４の外径はリングの内径より若干大きい。従って、リング３の中に継手本体４の接続部４２を挿入すると、この継手本体の接続部４２が上部切欠溝３１または下部切欠部３２を拡げ、リング３の外径を大きく品柄入ってゆく。その結果、リング３の外周面が竪樋１の内周面に密着する。
【００１４】
リング３の外周面に塗布された接着剤はリング３の外周面と竪樋１の内周面との間の僅かな隙間に残ったり、上部切欠溝３１または下部切欠溝３２の中に残るので、この残った接着剤によってリング３と竪樋１が強固に接着される。更に、接着剤が上部切欠溝３１または下部切欠溝３２を通ってリング３と継手本体４との隙間に滲み込むので、この接着剤によってリング３と継手本体４とが強固に接着される。
このように、リング３に接着剤を塗布し、このリング３を竪樋１の中に挿入し、継手本体４をリング３の中に挿入するだけであるから施工が極めて簡単である。
【００１５】
このようにして竪樋１を接続すると、継手本体４の仕切り壁４１は竪樋１とほぼ同じ外径を、又、仕切り壁４１は竪樋とほぼ等しい外径を有するし、竪樋継手２のリング３や接続部はすべて竪樋１の内部にあるので、竪樋１、仕切り壁４１とが面一になって竪樋１から突出しない。従って、この接続部分が美麗である。
【００１６】
【発明の効果】
本発明に使用するリングは竪樋の内径より若干小さい外径を有するから、リングの外周面に塗布された接着剤は竪樋の縁で剥ぎ取られることなく、リングを竪樋の下端部や上端部の中に挿入できるし、継手本体の接続部の外径が、竪樋の内径よりリングの厚みだけ小さいから、リングの中に継手本体の接続部を挿入すると、リングの外径が大きくなり、リングの外周面が竪樋の内周面に密着する。
リングの外周面に塗布された接着剤はリングの外周面と竪樋の内周面との間の僅かな隙間に残ったり、上部切欠部や下部切欠部の中に残るので、この残った接着剤によってリングとが、又、リングと継手本体とが強固に接着される。
【００１７】
このように、施工が極めて簡単で、強固に接着され、接着不良で水漏れの事故が発生しない。
このようにして竪樋を接続すると、竪樋継手のリングや接続部はすべて竪樋の内部にあるので、竪樋から突出することがない。従って、この接続部分が美麗である。
【図面の簡単な説明】
【図１】本発明の一実施例を示すもので、（イ）は竪樋継手のリングの平面図、（ロ）はリングの正面図、（ハ）はリングの断面図、（ニ）は継手本体の平面図、（ホ）は継手本体の一部切欠正面図である。
【図２】竪樋にリングを挿入した状態を示す断面図である。
【図３】（イ）は竪樋継手で竪樋を接続した状態を示す正面図、（ロ）は断面図である。
【符号の説明】
１                      竪樋
１１                    上方の竪樋
１２                    下方の竪樋
２                      竪樋継手
３                      リング
３１                    上部切欠溝
３２                    下部切欠溝
４                      継手本体
４１                    仕切り壁
４２                    接続部
【図１】
0003599469.tif 000002
【図２】
0003599469.tif 000003
【図３】
0003599469.tif 000004